【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  アクリル樹脂を基質とするフィルムであって、トリアジン系紫外線吸収剤およびヒンダードアミン系光安定剤を含有し、トリアジン系紫外線吸収剤の含有量が０．１〜５重量％、かつ０．１７〜２．２８ｇ／ｍ2の割合であり、トリアジン系紫外線吸収剤に対するヒンダードアミン系光安定剤の重量割合が０．１〜２倍であるアクリルフィルム。
【手続補正２】
【補正対象書類名】明細書
【補正対象項目名】０００８
【補正方法】変更
【補正の内容】
【０００８】
すなわち、本発明は、アクリル樹脂を基質とするフィルムであって、トリアジン系紫外線吸収剤およびヒンダードアミン系光安定剤を含有し、トリアジン系紫外線吸収剤の含有量が０．１〜５重量％、かつ０．１７〜２．２８ｇ／ｍ2の割合であり、トリアジン系紫外線吸収剤に対するヒンダードアミン系光安定剤の重量割合が０．１〜２倍である。
【手続補正３】
【補正対象書類名】明細書
【補正対象項目名】００１２
【補正方法】変更
【補正の内容】
【００１２】
本発明ではトリアジン系紫外線吸収剤に対し重量割合で０．１〜２倍のヒンダードアミン系光安定剤が併用されることが好ましい。ここでいうヒンダードアミン系光吸収剤とは、その化学構造式に２，２，６，６−テトラメチル−４−ピペリジル構造または１，２，２，６，６−ペンタメチル−４−ピペリジル構造を含む光安定剤をいい、例えばビス（２，２，６，６−テトラメチル−４−ピペリジル）セバケート（チヌビン７７０、商品名、チバ・スペシャルティーケミカルズ製）、テトラキス（２，２，６，６−テトラメチル−４−ピペリジル）−１，２，３，４−ブタンテトラカルボキシレート（アデカスタブＬＡ５７、商品名、旭電化工業（株）製）、２，２，６，６−テトラメチル−４−ピペリジル／トリデシル−１，２，３，４−ブタンテトラカルボキシレート（アデカスタブＬＡ６７、商品名、旭電化工業（株）製）、テトラキス（１，２，２，６，６−ペンタメチル−４−ピペリジル−１，２，３，４−ブタンテトラカルボキシレート（アデカスタブＬＡ５２、商品名、旭電化工業（株）製）などがある。光安定剤の割合が紫外線吸収剤の０．１倍より少ないと、光安定剤の紫外線吸収剤に対する効果が発現されず、耐候性が改良されない。また、３倍より大きくても耐候性は更に向上せず、経済的に不利である上に、ブリード等によるフィルム汚れが発生する場合がある。
【手続補正４】
【補正対象書類名】明細書
【補正対象項目名】００１９
【補正方法】変更
【補正の内容】
【００１９】
［比較例１］  
アクリル樹脂としてハイペットＨＢＳ−０００（メチルメタクリレート−ブチルアクリレート共重合体、商品名、三菱レイヨン（株）製）１００部に対し、トリアジン系紫外線吸収剤としてチヌビン１５７７ＦＦ（商品名、チバスペシャルティーケミカルズ製）を０．７部の割合で、ヘンシェルミキサーを用いて混合した。次いで４０ｍｍφのスクリュー型押出機（Ｌ／Ｄ＝２６）を用いてシリンダー温度２００〜２６０℃で溶融混練し、ペレット化してフィルム形成用樹脂組成物を得た。
【手続補正５】
【補正対象書類名】明細書
【補正対象項目名】００２１
【補正方法】変更
【補正の内容】
【００２１】
［比較例２］
トリアジン系紫外線吸収剤の添加量を１．５部に変更した以外は、比較例１と同様にしてアクリルフィルム積層品を作製した。結果を表１に示した。
【手続補正６】
【補正対象書類名】明細書
【補正対象項目名】００２２
【補正方法】変更
【補正の内容】
【００２２】
［比較例３］
トリアジン系紫外線吸収剤の添加量を３．０部に変更した以外は、比較例１と同様にアクリルフィルム積層品を作製した。結果を表１に示した。
【手続補正７】
【補正対象書類名】明細書
【補正対象項目名】００２３
【補正方法】変更
【補正の内容】
【００２３】
［実施例１］
ヒンダードアミン系光安定剤としてチヌビン７７０（商品名、チバスペシャルティーケミカルズ製）を０．１部を更に添加してフィルム形成用樹脂組成物を得た以外は、比較例２と同様にしてアクリルフィルム積層品を作製した。結果を表１に示した。
【手続補正８】
【補正対象書類名】明細書
【補正対象項目名】００２４
【補正方法】変更
【補正の内容】
【００２４】
［実施例２］
チヌビン７７０の添加量を０．７部としたことを除き、実施例１と全く同様にしてアクリルフィルム積層品を作製した。結果を表１に示した。
【手続補正９】
【補正対象書類名】明細書
【補正対象項目名】００２５
【補正方法】変更
【補正の内容】
【００２５】
［実施例３］
チヌビン７７０の添加量を３．０部としたことを除き、実施例１と全く同様にしてアクリルフィルム積層品を作製した。結果を表１に示した。
【手続補正１０】
【補正対象書類名】明細書
【補正対象項目名】００２６
【補正方法】変更
【補正の内容】
【００２６】
［比較例４］
チヌビン７７０の添加量を５．０部としたことを除き、実施例１と全く同様にしてアクリルフィルム積層品を作製した。結果を表１に示した。
【手続補正１１】
【補正対象書類名】明細書
【補正対象項目名】００２７
【補正方法】変更
【補正の内容】
【００２７】
［比較例５］
厚みを２００μｍに変更したことを除き、比較例１と同様にしてアクリルフィルムを製造した。得られたアクリルフィルムを１２０×１２０ｍｍに切り出し、１００×１００×３ｍｍのキャビティを有する射出成形用金型に挿入し、成形材料としてＡＥＳ１４５（白）（商品名、ＡＥＳ樹脂、テクノポリマー（株）製）を用いて、シリンダー温度２４０℃、金型温度６０℃で射出成形を実施し、成形材料表面にアクリル
フィルムが積層された成形品を作製した。結果を表２に示した。
【手続補正１２】
【補正対象書類名】明細書
【補正対象項目名】００２８
【補正方法】変更
【補正の内容】
【００２８】
［実施例４］
実施例３で得たアクリルフィルム表面に木目調のグラビア印刷を施し、印刷面がＰＶＣと接する側になるようにして、実施例３と同様にアクリルフィルム積層品を作製した。
【手続補正１３】
【補正対象書類名】明細書
【補正対象項目名】００３０
【補正方法】変更
【補正の内容】
【００３０】
［比較例６］
比較例５で得たアクリルフィルム表面に木目調のグラビア印刷を施し、印刷面が成形材料と接する側になるようにして、比較例５と同様に成形材料表面にアクリルフィルムが積層された成形品を作製した。
【手続補正１４】
【補正対象書類名】明細書
【補正対象項目名】００３２
【補正方法】変更
【補正の内容】
【００３２】
［比較例７］
アクリルフィルムを積層しない素地の硬質ＰＶＣ板について促進曝露試験を実施した。結果を表１に示した。
【手続補正１５】
【補正対象書類名】明細書
【補正対象項目名】００３３
【補正方法】変更
【補正の内容】
【００３３】
［比較例８］
トリアジン系紫外線吸収剤の添加量を０．０５部に変更した以外は、比較例１と同様にアクリルフィルム積層品を作製した。結果を表１に示した。
【手続補正１６】
【補正対象書類名】明細書
【補正対象項目名】００３４
【補正方法】変更
【補正の内容】
【００３４】
［比較例９］
紫外線吸収剤をベンゾトリアゾール系のチヌビンＰ（商品名、チバスペシャルティーケミカルズ製）に変更した以外は、比較例２と同様にしてアクリルフィルム積層品を作製した。結果を表１に示した。
【手続補正１７】
【補正対象書類名】明細書
【補正対象項目名】００３５
【補正方法】変更
【補正の内容】
【００３５】
［比較例１０］
比較例１の１）の紫外線吸収剤添加量を６．０部に変更した以外は、比較例１と同様にアクリルフィルム積層品を作製した。結果を表１に示した。
【手続補正１８】
【補正対象書類名】明細書
【補正対象項目名】００３６
【補正方法】変更
【補正の内容】
【００３６】
［比較例１１］
比較例５においてアクリルフィルムを使用しない射出成形品素地品について促進曝露試験を実施した。結果を表２に示した。
【手続補正１９】
【補正対象書類名】明細書
【補正対象項目名】００３７
【補正方法】変更
【補正の内容】
【００３７】
【表１】
2000327802.tif 000001
【手続補正２０】
【補正対象書類名】明細書
【補正対象項目名】００３８
【補正方法】変更
【補正の内容】
【００３８】
【表２】
2000327802.tif 000002